(57)【要約】【課題】運賃先払いの路線バスにおいて、降車時にカード式乗車券に降車データを記録することなく、適切な乗継判定ができるカード式運賃精算装置を提供する。【解決手段】乗車時にカード式乗車券に記録された乗車系統および乗車地と、現在地とに基づき、現在地が前回の乗車系統からの乗継が可能な停留所か判定し、乗継が可能な場合、カード式乗車券に記録された乗車時刻と運行データとから前回の降車時刻を算出し、その降車時刻と現在時刻が所定時間内の場合、乗継有効と判定して乗継運賃による運賃精算を行い、乗継無効の場合、通常運賃による運賃精算を行う。【選択図】　図２
2004086830.tif 000002
【特許請求の範囲】
【請求項１】
運賃情報を記憶している運賃記憶手段と、
運行情報を記憶している運行情報記憶手段と、
金額データ、乗車系統、乗車地および乗車時刻が記録されたカード式乗車券が挿入され、そのカード式乗車券の記録情報を読取る読取り手段と、
上記運行情報記憶手段を参照して、上記読取り手段により読取られたカード式乗車券の乗車系統および乗車地と、現在地とから前回の乗車系統からの乗継が可能か判定する第１乗継判定手段と、
上記第１乗継判定手段が乗継可能と判定した場合、上記運行情報記憶手段を参照して、上記読取り手段により読取られた乗車時刻から降車時刻を算出する手段と、
上記算出した降車時刻と現在時刻が所定時間内の場合、乗継有効と判定する第２乗継判定手段と、
上記第１または第２乗継判定手段が乗継無効と判定した場合、上記運賃記憶手段を参照して通常運賃を上記金額データから減算処理し、上記第１および第２乗継判定手段が乗継有効と判定した場合、上記運賃記憶手段を参照して乗継運賃をを上記金額データから減算処理する手段と、
減算処理した残額を新たな金額データとして上記カード式乗車券に記録するとともに、現在地および現在時刻を乗車地および乗車時刻として上記カード式乗車券に記録する書込み手段とを
備えたことを特徴とする運賃精算装置。
【発明の詳細な説明】
【０００１】
【発明の属する技術分野】
この発明は、路線バスなどの車両に設けられ、カード式乗車券による運賃の精算を行うカード式乗車券精算装置に関する。
【０００２】
【従来の技術】
従来のカード式乗車券を用いたカード式乗車券精算装置を説明する。カード式乗車券には例えば、磁気カードまたはＩＣカードが用いられる。
【０００３】
乗車区間に関わらず定額の運賃、いわゆる均一運賃を採用している路線バスにおいては、乗車時に運賃を支払う方式が多い。この方式においてカード式乗車券を用いて運賃精算を行う場合、乗車時にカード式乗車券精算装置にカード式乗車券を挿入すると、カード式乗車券に記録されている金額データが読取られ、その金額データから運賃が減算処理され、残額が乗車した路線バスの路線系統番号、乗車地および乗車時刻とともにカード式乗車券に記録される。降車時には運賃精算を行わないため、カード式乗車券の読取りおよび書込みは行われない。
【０００４】
ある路線バスから他の路線バスへ乗継ぐ場合、乗継運賃による運賃精算を行うことがある。均一運賃を採用している路線バスにおける乗継精算の例を以下に示す。
【０００５】
乗車時、カード式乗車券精算装置にカード式乗車券が挿入されると、カード式乗車券に記録されている金額データ、前回乗車した路線の系統番号、前回の乗車地および前回の乗車時刻が読取られ、カード式乗車券から読取った前回の乗車時刻と今回の乗車時刻が所定時間内の場合、乗継ぎ有効と判断して乗継運賃がカード式乗車券の金額データから減算処理され、その残額が路線バスの路線系統番号、乗車地および乗車時刻とともにカード式乗車券に記録される。カード式乗車券から読取った前回の乗車時刻と今回の乗車時刻が所定時間外の場合、通常の乗車と判断され、通常の運賃が減算処理される。
【０００６】
前回の乗車時刻と今回の乗車時刻が所定時間内か否かで乗継を判定する場合、長い区間乗車している乗客の場合、適切な乗継であるにも関わらず、所定時間外となることがある。乗継判定のための所定時間を長くすると、本来、乗継には該当しない乗客に対しても、乗継と判断してしまうという問題がある。乗車時に前回の降車時刻が確認できれば上記の問題は解決できるが、そのためには、降車時に降車時刻をカード式乗車券に記録する必要がある。しかし、乗車時に運賃を支払う方式の路線バスにおいては、降車時にカード式乗車券がカード式乗車券精算装置に挿入されないため、降車時刻をカード式乗車券に記録することができなかった。
【０００７】
【発明が解決しようとする課題】
この発明の目的は、乗車時に運賃を支払う方式（運賃先払い）の路線バスにおいて、降車時にカード式乗車券に降車データを記録することなく、適切な乗継判定ができるカード式乗車券精算装置を提供することにある。
【０００８】
【課題を解決するための手段】
請求項１の発明によれば、乗車時にカード式乗車券が挿入されると、カード式乗車券に記録された乗車系統および乗車地と、現在地とに基づき、現在地が前回の乗車系統からの乗継が可能な停留所か判定し、乗継が可能な場合、カード式乗車券に記録された乗車時刻と運行データとから前回の降車時刻を算出し、その降車時刻と現在時刻が所定時間内の場合、乗継有効と判定して乗継運賃による運賃精算を行い、乗継無効の場合、通常運賃による運賃精算を行う。
【発明の実施の形態】
以下この発明のカード式乗車券精算装置の実施例を図面を使用して説明する。
【００１４】
この発明の実施例の全体の構成を図１に示す。カード式乗車券（以下、乗車券という）１は各種情報を記録し、またその記録を読出すことができるもので、例えば磁気カードまたはＩＣカードが用いられる。以下、磁気式の乗車券を例に説明を行う。
【００１５】
バスの乗車口の乗客用通路近くにカード式乗車券精算装置２が設けられる。
【００１６】
カード式乗車券精算装置２には図示しない乗車券通路が形成され、カード式乗車券１をその通路の入口から出口に通過させることにより、通路内に設けられた読取りヘッド４および書込みヘッド５によって乗車券１の記録情報の読取りおよび書込みを行う。
【００１７】
乗車券１がカード式乗車券精算装置２の入口に挿入され、これが図示しないカード検出器で検出されると（図２のステップＳ１），ＣＰＵ３はモータ６を起動し（ステップＳ２），図示しない搬送ベルトによって乗車券１を搬送する。乗車券１は読取りヘッド４にて、使用可能金額、有効期間、前回の乗車系統番号、前回の乗車地、前回の乗車年月日時刻（以下、乗車時刻という）が読出され（ステップ３），それらがワークメモリ７に送信される。
【００１８】
乗車券１の使用可能金額がない、または有効期間から外れている場合には、乗車券１は有効でないと判断され、モータ６に対し逆転指令が出され（ステップＳ５），乗車券１は返却される。この時、表示器１１及びスピーカ１２によって乗客にその内容を知らせることも行われる（ステップＳ６）。
【００１９】
読出されたデータが有効だと判断されると（ステップＳ４），運行メモリ９を参照して、現在地が乗車券１から読取った前回の乗車系統からの乗継ぎが可能な停留所か判定する（ステップＳ７）。
【００２０】
現在地が前回の乗車系統からの乗継が可能な停留所の場合、運行メモリ９を参照して、前回の乗車系統と現在地とに基づき前回の乗車系統における現在地に相当する停留所、つまり前回の降車地を算出する（ステップＳ８）。さらに、前回の乗車地と上記算出した前回の降車地との間の所要時間を運行メモリ９を参照して算出し、乗車券１から読取った前回の乗車時刻に、上記算出した所要時間と乗継待ち時間を追加して前回の降車時刻を算出する（ステップＳ９）。算出した前回の降車時刻と今回の乗車時刻が所定時間内の場合、乗継有効と判定し（ステップＳ１０），運賃メモリ１０を参照して乗継運賃を乗車券１から減算処理する（ステップＳ１１）る。なお、上記乗継待ち時間については路線の運行状況に応じて設定されるものであり、例えば、３０分程度とすることができる。
【００２１】
現在地が前回の乗車系統からの乗継が許可されていない停留所の場合、または、前回の降車時刻と今回の乗車時刻が所定時間外の場合には、乗継無効と判断して、通常運賃を乗車券１から減算処理する（ステップＳ１２）。
【００２２】
減算処理後の使用可能金額は、書込みヘッ５により乗車券１に書込まれ（ステップＳ１３），その金額が表示器１１に表示された後（ステップＳ１４），乗車券１がカード式乗車券精算装置２の出口へ送られ、乗客に返却される。なお、乗車券１がカード式乗車券精算装置２の出口へ送られると、モータ６は停止される。
【００２３】
カード式乗車券精算装置２は、ＣＰＵ３がプログラムメモリ８内のプログラムを実行する事により機能する。バスの運行に際し、運転者はこれから走るべき路線の系統番号を系統スイッチ１３で設定する。ＣＰＵ３は系統スイッチ１３の設定に応じて、運行メモリ９及び運賃メモリ１０よりその系統番号の運行データと必要な諸データとを読出し、ワークメモリ７に記憶し、必要に応じて諸データの読出しができる状態を作る。
【００２４】
次に各部の詳細を図面により補足説明する。図３は運行路線の例を示し、系統１１０と系統１２０とが乗継ぎ停留所１ａで交差し、系統１２０と系統１３０とが乗継ぎ停留所１ｂで交差し、系統１３０の起終点１０１は系統１４０との乗継ぎ停留所１ｃとなっている。各系統の丸印は停留所を示し、その３桁の数字はこの停留所のコードを示す。
【００２５】
図４は運行メモリ９の記憶データ例を示すものである。運行メモリ９は各運行系統の停留所コードの順序と各停留所間の所要時間が記憶され、またその停留所に乗継ぎ可能な系統があればその系統コードを記憶している。
【００２６】
図５は運賃メモリ１０の記憶データ例を示すものである。大人の場合、通常運賃は￥１８０、乗継運賃が￥１２０となっており、小人の場合、それぞれ半額となっている。
【００２７】
図６は乗車券１のデータフォーマット例を示すものである。乗車券１の磁気ストライプには図６Ａに示すように記録情報の始めを示す「ＳＴＸ」、「会社コード（交通機関企業体コード）」、「乗車券固有番号」、「有効期間」、「券金額」、「乗車系統」、「乗車地」、「乗車時刻」、記録情報の終りを示す「ＥＴＸ」がその順に書込まれており、カード式乗車券精算装置２内での乗車券１の移動により「ＳＴＸ」から順次その記録が読み出される。図６Ａは、未使用の￥３０００分の乗車券の例を示したものであり、会社コード：ＸＸＸＱＱ、固有番号：ＡＢＣ１２３、有効期間：２００２．１２．３１．金額：￥３０００が書込まれている。なお、乗車系統、乗車地、乗車時刻については、未使用の乗車券のため、何も書込まれていない。
【００２８】
上記乗車券１をカード式乗車券精算装置２を通した状態では、その乗車券１は図６Ｂに示すように、例えば乗車系統１２０が乗車系統欄に、乗車地の停留所コード００２が乗車地欄に、乗車時刻１３：００が乗車時刻欄に、更に通常運賃￥１８０を、乗車時の券金額￥３０００から差し引いて精算された金額￥２８２０が券金額の欄にそれぞれ記録されたものとなる。
【００２９】
図６Ｃは、図６Ｂに示した乗車券１を有する乗客が、同日の１３時３０分に乗車系統１３０、停留所コード１０４にて乗車した状態を示している。今回の乗車地が前回の乗車系統からの乗継が可能な停留場かつ乗継時間（前回の降車時刻から今回の乗車時刻までに要した時間）が３０分以内のため、乗継乗車だとして乗継運賃￥１２０を乗車時の券金額￥２８２０から差し引いて精算された金額￥２７００が券金額の欄にそれぞれ記録されたものとなる。
【００３０】
上述では、乗継有効とされた場合、運賃メモリ１０を参照して乗継運賃を減算処理すると説明したが、運賃メモリ１０に通常運賃のみ記憶しておき、通常運賃から一定金額を差し引いた金額を乗継運賃として減算処理してもよい。
【発明の効果】
この発明によれば、乗車券から読取った前回の乗車系統および乗車地と、現在地とに基づき前回の降車地および降車時刻を算出できるため、降車時に、降車地および降車時刻を特定するために乗車券をカード式乗車券精算装置に挿入する必要がない。特に、乗車時のみ乗車券をカード式乗車券精算装置に挿入している均一運賃路線においては、従来通りの装置のまま乗継精算が可能となる。
【図面の簡単な説明】
【図１】この発明によるカード式乗車券精算装置のブロック図。
【図２】カード式乗車券精算装置の動作を示す流れ図。
【図３】路線系統、停留所コードの例を示す図。
【図４】運行メモリの記憶例を示す。
【図５】運賃メモリの記憶例を示す図。
【図６】式乗車の記憶例を示す図。
【図１】
2004086830.tif 000003
【図３】
2004086830.tif 000004
【図２】
2004086830.tif 000005
【図４】
2004086830.tif 000006
【図５】
2004086830.tif 000007
【図６】
2004086830.tif 000008